(57)【要約】【課題】電子機器の筐体に回動自在に軸支されると共に閉成状態がロック手段によってロックされる蓋を有する電子機器において、蓋を閉じるときの跳ね返り、構成部品のばらつき等の影響を受けることなく蓋の閉成状態を確実にロックする蓋を有する電子機器を提供する。【解決手段】筐体１０１に回動自在に軸支され、コネクター等を配置した開口部３０を開閉する蓋２０を有する電子機器１０である。電子機器１０は、蓋２０の背面が当接する筐体１０１の位置に設けられ蓋２０を開成する方向に弾性的に偏倚させる弾性体５０と、蓋２０の閉成状態をロックするためのロック機構４０とを備え、蓋１０を勢いよく閉めることにより発生する衝撃を弾性体５０によって吸収してからロック機構４０によるロックを行うように構成した。【選択図】図５
2013098197.tif 000002
【特許請求の範囲】
【請求項１】
電子機器の筐体に回動自在に軸支され、コネクター等を配置した開口部を開閉する蓋を有する電子機器であって、
前記蓋の背面が当接する前記筐体の位置に設けられ、該蓋を開成する方向に弾性的に偏倚させる弾性手段と、
前記蓋の閉成状態をロックするためのロック手段と、
を備えていることを特徴とする蓋を有する電子機器。
【請求項２】
前記ロック手段は、前記蓋又は前記筐体に設けられたロック用突起と、前記筐体又は前記蓋に設けられたロック用凹部とからなり、前記蓋が閉じられるときに該ロック用突起が該ロック用凹部内を途中まで通過してから前記弾性手段による該蓋の戻りにより該ロック用凹部内面に当接するように設定して構成したことを特徴とする請求項１に記載の蓋を有する電子機器。
【請求項３】
前記弾性手段は、前記筐体側に設けられた板状の当接面に形成されたコ字状のスリットからなる撓みを発生する基部と、該基部の端に前記蓋の背面方向に突出して設けた先端部とから構成したことを特徴とする請求項１又は２に記載の蓋を有する電子機器。
【発明の詳細な説明】
【技術分野】
【０００１】
本発明は、蓋を有する電子機器に関し、特に、電子機器の筐体に回動自在に軸支されると共に閉成状態においてロックされる蓋を有する電子機器に関するものである。
【背景技術】
【０００２】
プリンター、ノートパソコン等の電子機器は、外部の周辺機器等と接続するためのコネクターが設けられている。このコネクターが設けられた部分には埃等の侵入を防ぐための開閉可能な蓋を設置している。
【０００３】
従来、この種の蓋を有する電子機器としては、例えば下記の特許文献１（特開２０００−１０１２６４号公報）で示すものがある。その構成は、電子機器において本体部の後面に形成された矩形の開口部と、開口部に設けられたコネクターと、開口部を覆う矩形の開閉蓋の蓋部と、蓋部の対抗する２辺のそれぞれ端部近傍に設けられたガイドピンとを備えた蓋とを有している。一方、開口部近傍にはガイドピンをガイドするガイド溝が形成され、ガイド溝の内部に蓋部の弾性によって乗り越えられる程度の凸部が設けられている。そして、蓋部はガイドピンがガイド溝によってガイドされることによりスライドし、ガイドピンが凸部を乗り越えた位置で回動するようになっている。
【０００４】
従って、開閉蓋による開閉動作は、ガイドピンがガイド溝と嵌合しているため、ガイド溝に沿ってスライドし、蓋部が開口部の外部に引き出される。このとき、ガイドピンは一度ガイド溝内の凸部に突き当たるが、スリットによる弾性力によって凸部を乗り越えることができる。その後、開口部方向への移動は円弧状に塞がれたガイド溝の端部によって止められる。そして、その位置でガイドピンを支点として回転し開口部を塞ぐ。このとき、開閉蓋はガイドピンがガイド溝の端部と凸部に、ほぼ同寸法で挟まれているため位置が保持され、回転の支点が動かず、開閉動作が安定する。
【０００５】
また、他の従来技術としては、例えば例えば下記の特許文献２（特開２００６−２０２９７２号公報）で示すものがある。その構成は、電子機器の筐体に形成した凹部と、凹部に配置したカード挿入スロットと、凹部を開閉自在に覆う筐体に設けた蓋部材とを有している。この蓋部材には、裏面の両側下部から一体に後方へ延びたアームが設けられている。このアームの先端には、外側方へ突出したピン状の突軸が形成されている。一方、凹部の両側壁には軸受け凹所としての円形貫通孔が形成されている。この円形貫通孔には突軸が嵌入されることにより蓋部材を筐体に回動可能に取り付けている。従って、凹部の開閉動作は、蓋部材を前方に回動させることにより凹部を開き、蓋部材を押し込むことにより凹部を閉じることによって達成できる。
【０００６】
上記従来の蓋を有する電子機器によれば、筐体のコネクター等が設けられた部分を蓋によって円滑に開閉することができるので、コネクターが設けられた部分に埃等の侵入を防ぐことができる。そして、その構成は部品点数が少なく簡単である。
【先行技術文献】
【特許文献】
【０００７】
【特許文献１】特開２００６−２０２９７２号公報（段落［００１２］、段落［００１３］、段落［００１７］）
【特許文献２】特開２００６−２０２９７２号公報（段落［００１７］、段落［００１９］、段落［００２２］）
【発明の概要】
【発明が解決しようとする課題】
【０００８】
しかしながら、上記特許文献１及び２で示す従来技術においては、蓋を勢いよく閉めた際に生じる跳ね返りについて考慮されていない。そのため、蓋が跳ね返って戻った状態になったままとなり確実な閉成状態が得られないという問題点があった。
【０００９】
勿論、蓋が閉じた状態をロックするロック機構を設けることが考えられる。しかし、ロック機構は押し込まれた蓋を一旦ロックしても跳ね返りによる強い衝撃でロック状態が解除されてしまうことがある。このように、従来技術においては、蓋を勢いよく閉めた際に発生する問題点を確実に解決することができなかった。
【００１０】
このような電子機器の蓋には、一般にはモールド樹脂成形されたものが利用されるが、蓋等の構成部品の寸法にばらつきが生ずることは避けられない。また、蓋の長手方向の辺の長さと他の辺の長さの比が一定の範囲を超える、すなわち、長辺の長さが他の一辺の長さよりも長い形状である場合、蓋に反りが生じることもある。そのため、電子機器の筐体に取り付けられた蓋にはがたつきを生じてしまう。従って、蓋が閉じられたときにがたつきによって蓋と筐体との間に間隙を生じてしまい確実な閉成状態を得ることができないという問題点があった。
【００１１】
そこで、本発明は、上記従来技術の問題点を解消して従来の要望を満たすことを課題とし、蓋を有する電子機器において、簡単な構成で確実に蓋による閉成状態が得られる蓋を有する電子機器を提供することを目的とするものである。
【課題を解決するための手段】
【００１２】
前記課題を解決するために、本願の請求項１にかかる発明は、電子機器の筐体に回動自在に軸支され、コネクター等を配置した開口部を開閉する蓋を有する電子機器であって、前記蓋の背面が当接する前記筐体の位置に設けられ、該蓋を開成する方向に弾性的に偏倚させる弾性手段（例えば、実施例では弾性体５０）と、前記蓋の閉成状態をロックするためのロック手段（例えば、実施例ではロック機構４０）と、を備えていることを特徴とする。
【００１３】
また、本願の請求項２に係る発明においては、前記ロック手段は、前記蓋又は前記筐体に設けられたロック用突起（例えば、実施例ではロック用突起４０２）と、前記筐体又は前記蓋に設けられたロック用凹部（例えば、実施例ではロック用凹部４０３）とからなり、前記蓋が閉じられるときに該ロック用突起が該ロック用凹部内を途中まで通過してから前記弾性手段による該蓋の戻りにより該ロック用凹部内面に当接するように設定して構成したことを特徴とする。
【００１４】
また、本願の請求項３に係る発明においては、前記弾性手段は、前記筐体側に設けられた板状の当接面に形成されたコ字状のスリット（例えば、実施例ではコ字状のスリット５０２）からなる撓みを発生する基部（例えば、実施例では基部５０３）と、該基部の端に前記蓋の背面方向に突出して設けた先端部（例えば、実施例では先端部５０１）とから構成したことを特徴とする。
【発明の効果】
【００１５】
本発明の取付け機構は、次に示すような優れた効果を奏する。
【００１６】
即ち、請求項１に係る発明においては、蓋の背面が当接する筐体の位置に、蓋を開成する方向に弾性的に偏倚させる弾性手段を設けると共に、蓋の閉成状態をロックするためのロック手段を設けている。このような構成によれば、蓋を勢いよく閉めることにより発生する衝撃は、弾性手段によって吸収されるので蓋が筐体側に当たって跳ね返ることがなくロック手段によるロックが確実に行える。
【００１７】
また、請求項２に係る発明においては、ロック手段は、ロック用突起とロック用凹部とからなり、蓋が閉じられるときにロック用突起がロック用凹部内を途中まで通過してから弾性手段による蓋の戻りによりロック用凹部内面に当接するように設定されている。
【００１８】
このような構成によれば、蓋が閉じられるときにはロック用突起がロック用凹部内を途中まで通過するオーバーストローク状態を経過してから開成方向に戻る。そのため、蓋の反り、ロック手段等を構成する部材等の寸法にばらつき等があっても、蓋が閉成されるときにロック用突起がロック用凹部内に至るので、ロック手段の不完全なロック状態を発生させずロックが確実に行える。
【００１９】
また、ロック状態においては、ロック用突起がロック用凹部内面に弾性手段の弾発力によって当接するので、蓋、ロック手段等のがたつきが吸収される。そのため、蓋の閉成状態にがたつきを生じさせないので、蓋と筐体との間に隙間を生じさせず確実に開口部を蓋で閉成することができる。
【００２０】
また、請求項３に係る発明においては、弾性手段は、板状の当接面にコ字状のスリットにより形成された撓みを有する基部と、基部の端に設けた蓋の背面方向に突出して設けた先端部とからなる。そのため、スリットを形成するだけで撓みを発生する基部が得られるので、弾性手段の構成が簡単であって製作が容易である。
【図面の簡単な説明】
【００２１】
【図１】本発明の一実施例に係る蓋を有する電子機器の斜視図である。
【図２】図１における蓋が配置された部分を拡大して示す正面図である。
【図３】図２において蓋が開かれた状態を示す斜視図である。
【図４】図２においてＡ−Ａ線で切断した断面図である。
【図５】図２においてＢ−Ｂ線で切断した断面図である。
【図６】本発明の一実施例に係る蓋を有する電子機器において、ロック状態に至る直前のロック機構部分を拡大して示す斜視図である。
【図７】本発明の一実施例に係る蓋を有する電子機器において、弾性体を拡大して示す斜視図である。
【発明を実施するための形態】
【００２２】
以下、本発明の具体例を実施例及び図面を用いて詳細に説明する。但し、以下に示す実施例は、本発明の技術的思想を具体化するための蓋を有する電子機器を例示するものであって、本発明をこの蓋を有する電子機器に特定することを意図するものでなく、特許請求の範囲に含まれるその他の実施形態の蓋を有する電子機器にも等しく適用し得るものである。
【実施例】
【００２３】
本発明の一実施例に係る電子機器１０は、図１、図２で示すように扁平状の箱形であって一側面に蓋２０が配置されている。蓋２０は、図３で示すように電子機器１０のコネクター等を配置した開口部３０を開閉するためのものである。開口部３０は筐体１０１に形成された長方形（短辺と長辺との比が約１対３）であり、その凹部３０１内にコネクター３０２が臨まされている。蓋２０は開口部３０と同一形状であってその長辺の一方、即ち下方の長辺を回転中心として回動自在に筐体１０１に軸支されている。また、蓋２０は他方の長辺中央に摘み２０１が設けられている。
【００２４】
図３、図４及び図５の断面図によって開口部３０が詳しく示されているが、凹部３０１は長方形の箱状の目隠しカバー３０３によって形成され、目隠しカバー３０３の底面にはコネクター３０２を臨ませるための窓３０４が形成されている。従って、電子機器１０の内部は目隠しカバー３０３によって目隠しされている。また、目隠しカバー３０３は筐体１０１の一部を構成するものである。
【００２５】
蓋２０は下方の長辺を回転中心として回動自在に軸支されているが、その機構は、蓋２０に設けられたアーム２０２と、アーム２０２の先端に形成された支軸３０５と、目隠しカバー３０３の側面に設けられ支軸３０５を回転可能に取り付けるための軸受（図示せず）とによって構成されている。
【００２６】
蓋２０の他方、即ち上方の長辺の両側（短辺の上端寄り）にはロック機構４０が設けられている。このロック機構４０は、蓋２０の背面に設けられた垂立片４０１と、垂立片４０１の先端寄り外側面に設けたロック用突起４０２と、目隠しカバー３０３に設けられてロック用突起４０２が係合可能に形成されたロック用凹部４０３とから構成されている。
【００２７】
図６によって詳しく示されているが、ロック用突起４０２にはテーパ面４０４が形成されている。一方、ロック用凹部４０３にはロック用突起４０２が当たる部分にテーパ面４０５が形成されている。
【００２８】
開口部３０の上縁には、蓋２０の上方背面が当接する板状の当接面３０６が設けられている。この当接面３０６の両端寄りには弾性体５０が設けられている。この弾性体５０は図７によって詳しく示されているが、当接面３０６の面から突出する先端部５０１と、当接面３０６にコ字状に切り欠かれた形成したスリット５０２によって撓みを発生するように形成されている基部５０３とから構成されている。
【００２９】
また、基部５０３の撓みは、押し込まれた蓋２０の背面が先端部５０１に当った後、蓋２０を更に強く押し込むことによって先端部５０１を当接面３０６の面下まで偏倚させる状態に設定されている。
【００３０】
一方、蓋２０が当接面３０６に当接した状態におけるロック機構４０のロック用突起４０２とロック用凹部４０３との位置関係は、蓋２０と一体になったロック用突起４０２がロック用凹部４０３内を途中まで通過するオーバーストローク状態となるように設定されている。
【００３１】
次に、上述した実施例の構成による電子機器１０の動作について説明する。コネクター３０２にコネクターを接続しないときは、図１、図２で示すように開口部３０を蓋２０で閉成した状態とする。コネクター３０２にコネクターを接続するときは、図３で示すように蓋２０を開いて開口部３０を開成した状態とし、筐体１０１面上に臨まされたコネクター３０２に所定のコネクターを接続する。ここで、蓋２０は閉成状態ではロック機構４０によってロックされているので、開くときには摘み２０１でもって蓋２０を強く引っ張りロック機構４０のロック状態を解除する。
【００３２】
図４、図５を参照して蓋２０を閉じて開口部３０を閉成する動作について詳しく説明する。蓋２０を閉じる際には、蓋２０を押し込むことにより支軸３０５を中心にアーム２０２を回動させ、蓋２０３の背面を弾性体５０の先端部５０１に当てる。更に強く押し込むことにより基部５０３が撓み先端部５０１が後退する。押し込まれた蓋２０は背面が当接面３０６に当たることにより回動動作が停止される。
【００３３】
一方、ロック機構４０は、図６で示すように、蓋２０の押し込みによりロック用突起４０２が矢印Ｘで示すロック用凹部４０３に向かう。そして、ロック用突起４０２がロック用凹部４０３の外側に当たるが、更に押し込むとテーパ面４０４、４０５の当接により垂立片４０１を矢印Ｙで示す方向に撓ませる。その後、ロック用突起４０２はロック用凹部４０３内に至ってこの中を通過する。一方、垂立片４０１はロック用突起４０２がロック用凹部４０３内にあるときには撓んだ状態から復帰している。即ち、ロック機構４０はオーバーストローク状態となる。
【００３４】
ロック機構４０がオーバーストローク状態にあるときには、弾性体５０は基部５０３が撓んで先端部５０１を当接面３０６の面上から後退した状態となっている。その結果、蓋２０２は当接面３０６に当たって回動が停止される。
【００３５】
その後、蓋２０の押し込みを停止すると、撓んだ基部５０３が復帰して先端部５０１でもって蓋２０を若干戻る方向に回動させる。即ち、蓋２０は押し込み操作を停止した後に弾性体５０の弾発力によって若干押し戻される。その結果、ロック用突起４０２は若干戻ってその面がロック用凹部４０３の内面に当たって蓋２０の戻りが停止される（図４参照）。
【００３６】
従って、上述した本発明の実施例によれば、蓋２０を勢いよく閉めたときには、背面が弾性体５０に当たってから当接面３０６に当たるので、当接面３０６に当たる際に発生する衝撃力が弾性体５０によって吸収される。そのため、蓋２０は跳ね返ることがない。従って、ロック機構４０は一旦ロックされた状態から跳ね返りによってロックが解除されてしまうことがない。
【００３７】
また、ロック用突起４０２がロック用凹部４０３内を途中まで通過するオーバーストローク状態を経過してから蓋２０の開成方向に戻る。そのため、蓋２０の反り、ロック機構４０の構成部品のばらつき等により、蓋２０を最後まで押し込んだときにロック用突起４０２がロック用凹部４０３の手前までしか到達しないということがない。即ち、蓋２０が閉成されるときには、ロック用突起４０２がロック用凹部４０３内に必ず至るので、ロック機構４０の不完全なロック状態を発生させず確実なロック状態が得られる。
【００３８】
特に、蓋２０が横長の長方形であると樹脂成型時のばらつきで反りが発生しやすいが、この反りがあってもこれをオーバーストロークによって吸収するので確実なロック状態が得られる。これは、開口部３０が長方形である電子機器１０に適用して有効なものである。
【００３９】
また、上述したように、蓋２０の閉成時には、ロック用突起４０２がロック用凹部４０３に対してオーバーした位置まで至ってから弾性体５０の弾発力によって戻る。その結果、ロック機構４０はロック用突起４０２がロック用凹部４０３の内面に弾性的に当接してロック状態となる。そのため、ロック機構４０を構成する部材に大きなばらつき、蓋２０の撓み等が生じていても、蓋２０はロック機構４０において弾性的な当接状態が得られているので、がたつくことがなく蓋２０と筐体１０１との間に隙間を生じさせることがない。
【００４０】
また、弾性体５０は、当接面３０６にスリット５０２を設けることにより基部５０３を形成することができるので、その構成が簡単であり、しかも目隠しカバー３０３と樹脂成型により一体に製作できる。
【００４１】
なお、上記実施例においては、蓋２０は長方形であるが、本発明はこれに限定されることなく開口部３０の開口部分が正方形であるときには蓋２０の形状を同じく正方形とする等その形状を種々変更してもよい。
【００４２】
なお、上記実施例においては、ロック機構４０はロック用突起４０２を蓋２０側に設けロック用凹部４０３を目隠しカバー側３０３、即ち筐体１０１側に設けている。しかし、本発明においてはロック用突起４０２を筐体１０１側に設けロック用凹部４０３を蓋２０側に設けるようにしてもよい。
【００４３】
なお、上記実施例においては、開口部３０にコネクター３０２を配しているが、本発明はこれに限定されることなく、各種カード等の挿入スロット等を配したものであってもよい。
【符号の説明】
【００４４】
１０・・・・電子機器
２０・・・・蓋
３０・・・・開口部
４０・・・・ロック機構
５０・・・・弾性体
１０１・・・筐体
２０１・・・摘み
２０２・・・アーム
３０１・・・凹部
３０２・・・コネクター
３０３・・・目隠しカバー
３０４・・・窓
３０５・・・支軸
３０６・・・当接面
４０１・・・垂立片
４０２・・・ロック用突起
４０３・・・ロック用凹部
４０４・・・テーパ面
４０５・・・テーパ面
５０１・・・先端部
５０２・・・スリット
５０３・・・基部
【図１】
2013098197.tif 000003
【図２】
2013098197.tif 000004
【図３】
2013098197.tif 000005
【図４】
2013098197.tif 000006
【図５】
2013098197.tif 000007
【図６】
2013098197.tif 000008
【図７】
2013098197.tif 000009